(57)【要約】【課題】把持部を清潔に収納することができる体脂肪測定装置を提供すること。【解決手段】測定時に被測定者が乗る人体載置部１０２と、被測定者が手で把持する把持部１０５とを有し、把持部１０５と人体載置部１０２をケーブル１０８で接続し、人体載置部１０２と連設してケーブル１０８と把持部１０５を収納する箱状収納部１１６を形成し、箱状収納部１１６の開口部１１８を覆う回転式カバー１１７を設けたので、把持部１０５を収納時に回転式カバー１１７で把持部１０５を含めた開口部１１８を覆うことができるので、日常生活の埃・ゴミ等の付着から把持部１０５を守り、清潔に保つことができる。【選択図】図１
2006262926.tif 000002
【特許請求の範囲】
【請求項１】
測定時に被測定者の足が乗る足部電極を有する人体載置部と、前記人体載置部にケーブルで接続し、測定時に被測定者が手で把持する手部電極を有する把持部と、前記足部電極と前記手部電極の間のインピーダンスを測定するインピーダンス測定手段と、被測定者の身体的特徴をあらわす被測定者情報を入力する入力手段と、前記インピーダンスと前記被測定者情報から体脂肪率を計算する計算手段と、前記計算結果を報知する報知手段を備え、人体載置部と連設してケーブルと把持部を収納する箱状収納部を形成し、前記箱状収納部の開口部を覆うカバー部を設けたことを特徴とする体脂肪測定装置。
【請求項２】
カバー部は箱状収納部の外周に沿って摺動する回転式カバーで構成したことを特徴とする請求項１に記載の体脂肪測定装置。
【請求項３】
回転式カバーは、その荷重バランスを開成方向への回転力が発生するように構成し、閉成時は回転式カバーを係止するロック機構を設けたことを特徴とする請求項２に記載の体脂肪測定装置。
【請求項４】
回転式カバーは、その荷重バランスを閉成時には閉成方向への回転力を発生するように構成し、更に開成方向へある一定角度以上回転させると開成方向への回転力を発生するように構成したことを特徴とする請求項２または３に記載の体脂肪測定装置。
【請求項５】
回転式カバーは、開成方向への回転時に前記回転式カバーの荷重による回転力よりも大きな摺動摩擦力を発生する摺動摩擦機構を備えたことを特徴とする請求項２〜４のいずれか１項に記載の体脂肪測定装置。
【請求項６】
箱状収納部は、ケーブルの折り返し位置を規定する突起状の規定部を設けたことを特徴とする請求項１〜５のいずれか１項に記載の体脂肪測定装置。
【請求項７】
規定部は、箱状収納部の底面より突起し、閉成した回転式カバーの近傍まで伸長していることを特徴とする請求項６に記載の体脂肪測定装置。
【請求項８】
箱状収納部は、把持部を載置する載置台を設けたことを特徴とする請求項１〜７のいずれか1項に記載の体脂肪測定装置。
【発明の詳細な説明】
【技術分野】
【０００１】
本発明は身体内部のインピーダンスに基づき体脂肪率を測定する体脂肪測定装置に関
するものである。
【背景技術】
【０００２】
従来のこの種の体脂肪測定装置は、装置本体に両手で把持できる把持部及びフット電極部に電極を有し、被測定者は両手で装置本体を把持し、フット電極部に乗って決められた姿勢を取って測定すれば、把持部及びフット電極部に備えられた電極が手のひら及び足の裏に接触することによって手足間のインピーダンスを測定し、計算により体脂肪率を測定することができるようになっていた（例えば、特許文献１参照）。
【０００３】
しかしながら、インピーダンス測定部を含む装置本体に把持部を有していると、どうしても把持部の形状が大きくなり、体脂肪測定後における収納時にはフット電極部とそのフット電極部とほぼ同等の大きさの把持部の２パーツを取り扱うことになり、収納及び再使用開始が困難であった。
【０００４】
これに対して、手部電極を備えた把持部と足部電極を備えた人体載置部をケーブルで接続し、かつ人体載置部の外側と連設して箱状収納部を形成し、前記ケーブルと把持部を箱状収納部に着脱自在に装着可能にしたものが提案されている（例えば、特許文献２参照）。
【０００５】
図７は、特許文献２に記載された従来の体脂肪測定装置を示すものである。図７に示すように、体脂肪測定装置は上面に人体載置部２を形成し、ここに足部電極１が取り付けられている。また、人体載置部２には、報知手段として液晶表示器７が備えられている。人体載置部２の下部には重量測定機構を有する体重測定部３を構成しており、把持部５に手部電極４が取り付けられている。人体載置部２と把持部５はケーブル８で接続されている。そして、箱状収納部６は人体載置部２の外側と連設して設けられ、人体載置部２の上面と同じ上面を開放して上側から把持部５、ケーブル８を収納および取り出し可能に構成している。
【０００６】
被測定者９は、身長等の身体特定化情報を入力した後に、図８に示すように、箱状収納部６より取り出した把持部５の手部電極４を握って人体載置部２の足部電極１の上に素足で乗る。このとき、足部電極１と手部電極４間に高周波電流が印加され、この印加電流によって生じる電位差を検出して、インピーダンスを測定し、インピーダンス測定値と前記身体特定化情報とに基づいて体脂肪率を算出し、液晶表示器７に表示する。
測定終了時は、図９に示すように、ケーブル８を人体載置部２に連接された箱状収納部６内に収納した後に、把持部５を装着することができるので、人体載置部２と一体感があると同時に美観的にも良いものとなる。
【特許文献１】特開平７−５９７４４号公報
【特許文献２】特開２０００−３３３９２５号公報
【発明の開示】
【発明が解決しようとする課題】
【０００７】
しかしながら、上記従来の構成では、把持部５は表面に剥き出しの状態で箱状収納部６に装着されているので、日常生活で舞い上がる埃・ゴミ等が把持部５、ケーブル８および箱状収納部６に付着してしまう。ところで、体脂肪測定装置は、入浴後に使用するというのは十分に想定される使用状況である。つまり、従来の構成では、入浴後の清潔な手で触れる把持部５が日常生活の埃等で汚れており、清潔性にかけるという課題を有していた。
【０００８】
また、箱状収納部６自体にも埃・ゴミ等がたまりやすい一方、収納部全体は表面から見えにくい構造のため、掃除し難く、清潔に保つことが困難であるという課題を有していた。
【０００９】
上記従来の問題点に鑑み、本発明が解決しようとする課題は、操作性、収納性を損なうことなく、把持部等を埃・ゴミ等の付着から守ることができる清潔な体脂肪測定装置を提供することにある。
【課題を解決するための手段】
【００１０】
上記課題を解決するために、本発明の体脂肪測定装置は、測定時に被測定者の足が乗る足部電極を有する人体載置部と、前記人体載置部にケーブルで接続し、測定時に被測定者が手で把持する手部電極を有する把持部を備え、人体載置部と連設してケーブルと把持部を収納する箱状収納部を形成し、前記箱状収納部の開口部を覆うカバー部を設けたものである。
【００１１】
これによって、収納時には把持部とケーブルがカバーされ日常生活で舞い上がる埃・ゴミ等が付着するのを防止でき、清潔に保つことができる。
【発明の効果】
【００１２】
本発明の体脂肪測定装置は、日常生活で舞い上がる埃・ゴミ等が把持部、ケーブル及び箱状収納部内に付着するのを防止することができ、体脂肪測定装置を清潔に保つことができる。
【発明を実施するための最良の形態】
【００１３】
第１の発明は、測定時に被測定者が乗る足部電極を有する人体載置部と、前記人体載置部にケーブルで接続し、測定時に被測定者が手で把持する手部電極を有する把持部と、前記足部電極と前記手部電極の間のインピーダンスを測定するインピーダンス測定手段と、被測定者の身体的特徴をあらわす被測定者情報を入力する入力手段と、前記インピーダンスと前記被測定者情報から体脂肪率を計算する計算手段と、前記計算結果を報知する報知手段を備え、人体載置部と連設してケーブルと把持部を収納する箱状収納部を形成し、前記箱状収納部の開口部を覆うカバー部を設けたことにより、カバー部が箱状収納部の開口部をカバーし、日常生活で舞い上がる埃・ゴミ等が把持部、ケーブルおよび箱状収納部内に付着するのを防止することができ、体脂肪測定装置を清潔に保つことができる。
【００１４】
第２の発明は、特に、第１の発明のカバー部を箱状収納部の外周に沿って摺動する回転式カバーで構成したことにより、カバー部を開けたときに、カバー部が箱状収納部の外周沿いに配置されるので、把持部の取出し・収納の際に、カバー部を開くための余分なスペースを確保する必要がなく、操作性を向上させることができる。
【００１５】
第３の発明は、特に、第２の発明の回転式カバーの荷重バランスが、前記回転式カバーの開成方向への回転力を発生するように構成し、閉成時は回転式カバーを係止するロック機構を設けたことにより、ロックを解除するだけで、回転式カバーが自重で開成方向に回転し、容易に回転式カバーを開くことができる。
【００１６】
第４の発明は、特に、第２または第３の発明の回転式カバーの荷重バランスが、前記回転式カバーの閉成時には閉成方向への回転力を発生するように構成し、更に開成方向へある一定角度以上回転させると開成方向への回転力を発生するように構成したことにより、回転式カバーを閉じるときにも回転式カバーが自重で閉方向に回転するので、容易に回転式カバーを開閉することができる。
【００１７】
第５の発明は、特に、第２〜４のいずれか１つの発明の回転式カバーに、開成方向への回転時に、回転式カバーの荷重による回転力よりも大きな摺動摩擦力を発生する摺動摩擦機構を設けたことにより、回転式カバーの開閉スピードを使用者の力加減で調節可能であり、また任意の位置にも回転式カバーを開くことができるので、使用感の良好な開閉動作を提供することができる。
【００１８】
第６の発明は、特に、第１〜５のいずれか１つの発明の箱状収納部に、ケーブルの折り返し位置を規定する突起状の規定部を設けたことにより、ケーブルを規定部に巻きつけるように折り返すことができるので、所定の位置に容易にケーブルを収納することができる。
【００１９】
第７の発明は、特に第６の発明の規定部を、箱状収納部の底面より突起させ、閉成した回転式カバーの近傍まで伸長させたことにより、規定部は閉じた回転式カバーの上方からの力に対して、回転式カバーを内側から支えることができるので、誤って踏みつけた場合に回転式カバーが割れてしまうのを防ぐことができる。
【００２０】
第８の発明は、特に、第１〜７のいずれか１つの発明の箱状収納部に、把持部を載置する載置台を設けたことにより、回転式カバーの閉成時に前記回転式カバー上方からの力に対して、把持部を介して載置台で回転式カバーを内側から支えることができるので、誤って踏みつけた場合に回転式カバーが割れてしまうのを防ぐことができる。また、把持部の収納位置が明確となり、容易に把持部を収納することができる。
【００２１】
以下、本発明の実施の形態について、図面を参照しながら説明する。なお、この実施の形態によって本発明が限定されるものではない。
【００２２】
（実施の形態１）
図１は本発明の一実施の形態の体脂肪測定装置の外観図で、図２はその制御ブロック図で、図３はその体脂肪測定時の状態図で、図４（ａ）はその箱状収納部が閉じた時の側面図で、図４（ｂ）はその箱状収納部が開いた時の側面図で、図５はその箱状収納部が開いた時の上面図で、図６はその開いた箱状収納部から把持部等を取り出す様子の斜視図である。
【００２３】
本実施の形態の体脂肪測定装置は上面に被測定者が載る人体載置部１０２を形成し、ここに測定者の足が乗る足部電極１０１が取り付けられている。人体載置部１０２には、被測定者情報を入力するための入力手段としてのキースイッチ１０６、報知手段として液晶表示器１０７が備えられている。人体載置部１０２の下部には、重量測定機構を有する体重測定部１０３を構成しており、人体載置部１０２と把持部１０５は、電気信号を送るケーブル１０８で接続されている。
【００２４】
把持部１０５は、本実施の形態では合成樹脂で構成され、測定時に被測定者が手で把持する手部電極１０４を有し、手部電極１０４は薄板ステンレス等の導体で構成している。測定時、図３のように被測定者１１１は把持部１０５を握って人体載置部１０２の足部電極１０１の上に素足で乗る。この時、手部電極１０４は被測定者１１１の手のひらに、足部電極１０１は被測定者１１１の足の裏に接触する。
【００２５】
図２に示すように足部電極１０１並びに手部電極１０４は、インピーダンス測定手段１０９に接続されている。インピーダンス測定手段１０９は、４端子法により足部電極１０１の１つの電極と手部電極１０４の１つの電極間に定電流を流し、足部電極１０１の他方の電極と手部電極１０４の他方の電極間で電圧を測定することによって、インピーダンスを測定できるよう構成されている。本実施の形態では、５０ｋＨｚ、８００μＡの人体が感じることのない微弱な電流を使用している。
【００２６】
測定した前記インピーダンスは計算手段としてのマイクロコンピュータ１１０に入力される。マイクロコンピュータ１１０には先に説明したキースイッチ１０６と液晶表示器１０７が接続されている。
【００２７】
箱状収納部１１６は、体脂肪の測定前後にケーブル１０８と把持部１０５を被測定者が出入するところで、液晶表示器１０７の位置する側の人体載置部１０２の外側と連設して人体載置部１０２の裏面部１１２との空間に底部１１４と周囲に壁１１５を有し、上面を開口した断面が略半円状で細長いケースで構成している。
【００２８】
カバー部としての回転式カバー１１７は、箱状収納部１１６の外周に沿って摺動して箱状収納部１１６の上面側に臨む開口部１１８を開閉する回転可能に構成し、全閉成時には図４（ａ）に示すように開口部１１８を覆うように、全開成時には図４（ｂ）に示すように箱状収納部１１６の底部１１４と床面１１３との空間に収まるように構成されている。そして、回転式カバー１１７は、開口部１１８の全体を覆った時、箱状収納部１１６とで略円筒状をなすように、断面が略半円状で細長いケースに形成している。
【００２９】
回転式カバー１１７には凹部１２２ａを、箱状収納部１１６には凸部１２２ｂをそれぞれ設け、全閉成状態で凹部１２２ａが凸部１２２ｂが合成樹脂の弾性力で嵌合し回転式カバー１１７を固定できるロック機構１２２を構成している。また、回転式カバー１１７は、その荷重バランスが、自重で開成方向に回転力を与えるように箱状収納部１１６の両側の壁１１５に軸支１１７ａして構成されており、ロック機構１２２を解除すると自重で開成方向に回転する。箱状収納部１１６の内底面には、突起状の規定部１２０がケーブル１０８を収納した際の折り返し位置に、そして載置台１２１が把持部１０５を載せて収める位置にそれぞれ配置されている。
【００３０】
また、規定部１２０は箱状収納部１１６を閉じた回転式カバー１１７の近傍にまで伸びており、載置台１２１は把持部１０５を載せたときに、把持部１０５が箱状収納部１１６を閉じた回転式カバー１１７の近傍になるような高さで構成されている。
【００３１】
次に上記実施の形態における動作、作用について説明する。測定に先立ち、被測定者１１１はキースイッチ１０６により、被測定者情報として身長、性別を入力する。キースイッチ１０６はマイクロコンピュータ１１０に接続されているので、マイクロコンピュータ１１０はこれらの被測定者情報をあらかじめ入力される。
【００３２】
次に、回転式カバー１１７を開け、箱状収納部１１６の内部に収納されている把持部１０５を取り出す。回転式カバー１１７は常に開成方向への回転力が発生しているので、ロック機構１２２である凹部１２２ａと凸部１２２ｂの嵌合をはずすと、その後は自動的に回転式カバー１１７が開き、その状態を維持するので、容易に把持部１０５を取り出すことができる。
【００３３】
次に、被測定者１１１は図３に示すように、腕を水平にのばした状態で把持部１０５を握り、人体載置部１０２に乗る。このとき、体重測定部１０３で体重値を測定し、その結果がマイクロコンピュータ１１０に入力され、手部電極１０４は被測定者１１１の手のひらに、足部電極１０１は被測定者１１１の足の裏に接触する。手部電極１０４及び足部電極１０１はインピーダンス測定手段１０９に接続されており、被測定者１１１の手足間のインピーダンスを測定する。インピーダンス測定手段１０９からのインピーダンスがマイクロコンピュータ１１０に入力されると、マイクロコンピュータ１１０は内蔵しているプログラムによりインピーダンスと被測定者情報から体脂肪率を計算し、結果を液晶表示器１０７に出力する。体脂肪率を求める式は各種のものが知られているが、本実施の形態では、体密度より求めるＢｒｏｚｅｃの式（Ｂｒｏｚｅｃらの報告書Ｊ．Ｂｒｏｚｅｃ、Ｆ．Ｇｒａｎｄｅ、Ｊ．Ｔ．Ａｎｄｅｒｓｏｎ ａｎｄ Ａ．特開２０００―３３３９２５ (4)Ｋｅｙ；“Ａｎ ＮＹ Ａｃａｄ．ｓｃｉ １１０（１９６３）１１３―４０）を用いている。例えば、男性の場合、下記のとおりとなる。
【００３４】
体密度＝１．１５５４―．０８４１×体重×インピーダンス／身長２
体脂肪率（％）＝（４．９５／体密度―４．５）×１００
なお、この式は男性の場合の式であるが、女性の場合も各部の係数を変えることにより適用できるので、被測定者情報に含まれる性別を元に式を切り換える。また、体脂肪率を求める式はこの他にも多くの式が報告されているが、インピーダンスから体脂肪率を求める式であれば、どのような式を用いても本発明の趣旨を逸脱するものではない。
【００３５】
測定終了し収納時には、ケーブル１０８を突起状の規定部１２０に巻きつけるようにして折り返し、そして把持部１０５を載置台１２１の上に持ってきて、把持部１０５とケーブル１０８を箱状収納部１１６内に収納する。その後に、回転式カバー１１７を全閉成状態まで回転させると、ロック機構１２２が有効となり、回転式カバー１１７が閉じた状態となるので、把持部１０５、ケーブル１０８と箱状収納部１１６の内側に埃・ゴミ等が付着するのを防ぐことができる。
【００３６】
また、箱状収納部１１６に納めた把持部１０５とケーブル１０８は、回転式カバー１１７により外部から見えなくなるので、同時に美観的にもよいものとなる。また箱状収納部１１６には底部１１４と壁１１５が存在し、また開口部１１８を回転式カバー１１７で覆うことができるので、ケーブル１０８と把持部１０５が箱状収納部１１６からはみ出し落下等することもないので、収納や移動時等に邪魔になることもなく不用意に蹴飛ばしたりすることもなくなり、把持部１０５が故障する確率も低減できる。
【００３７】
また、回転式カバー１１７を閉じているときに誤って踏みつけた場合、回転式カバー１１７がある程度しなった段階で、近傍まで伸びている規定部１２０と載置台１２１に載せられた把持部１０５が回転式カバー１１７を箱状収納部１１６の内部から支えることができるので、回転式カバー１１７が割れてしまうのを防ぐことができる。
【００３８】
また、ロック機構を構成せず、回転式カバー１１７に凸部１２２ｂのみを設ければ、回転時に常に摺動摩擦力を発生させる摺動摩擦機構を構成することができる。ここで摺動摩擦力が回転式カバー１１７の自重による回転力よりも大きくなるように構成することによって、被測定者１１１が自分の意志で回転式カバー１１７の回転スピード、開度を任意に調整することができるので、使用感の良いものとなる。
【００３９】
なお、本実施の形態においては、ロック機構１２２を回転式カバー１１７に凹部１２２ａを、箱状収納部１１６に凸部１２２ｂをそれぞれ設けて構成したが、凹部１２２ａと凸部１２２ｂを逆に設けて構成してもかまわない。
【００４０】
また、本実施の形態では回転式カバーの荷重バランスを、開成方向への回転力が発生するように構成したが、閉成時には閉成方向への回転力を発生するように構成し、更に開成方向へある一定角度以上回転させると開成方向への回転力を発生するように構成してもよく、これにより回転式カバーの開閉が円滑になり使い勝手が良くなる。
【産業上の利用可能性】
【００４１】
以上のように、本発明にかかる体脂肪測定装置は、収納時には把持部、ケーブルをカバーすることによって日常生活で舞い上がる埃・ゴミ等から把持部等が汚れるのを防止することができ、清潔を求められる健康管理器具等に適用できる。
【図面の簡単な説明】
【００４２】
【図１】本発明の実施の形態１における体脂肪測定装置の概観図
【図２】本発明の実施の形態１における体脂肪測定装置の制御ブロック図
【図３】本発明の実施の形態１における測定時の状態図
【図４】（ａ）本発明の実施の形態１における体脂肪測定装置の回転式カバーの全開成時の箱状収納部の側面図（ｂ）同じく回転式カバーの全閉成時の箱状収納部の側面図
【図５】本発明の実施の形態１における体脂肪測定装置の箱状収納部が開いた時の上面図
【図６】本発明の実施の形態１における体脂肪測定装置の箱状収納部が開いた時の斜視図
【図７】従来の体脂肪測定装置の概観図
【図８】従来の体脂肪測定装置における測定時の状態図
【図９】従来の体脂肪測定装置における箱状収納部の側面図
【符号の説明】
【００４３】
１０１  手部電極
１０２  人体載置部
１０３  体重測定部
１０４  手部電極
１０５  把持部
１０６  キースイッチ（入力手段）
１０７  液晶表示器（報知手段）
１０８  ケーブル
１０９  インピーダンス測定手段
１１０  マイクロコンピュータ（計算手段）
１１１  被測定者
１１６  箱状収納部
１１７  回転式カバー（カバー部）
１２０  規定部
１２１  載置台
１２２  ロック機構
【図１】
2006262926.tif 000003
【図２】
2006262926.tif 000004
【図３】
2006262926.tif 000005
【図４】
2006262926.tif 000006
【図５】
2006262926.tif 000007
【図６】
2006262926.tif 000008
【図７】
2006262926.tif 000009
【図８】
2006262926.tif 000010
【図９】
2006262926.tif 000011